(57)【要約】【課題】点灯装置において結露水の影響で不具合が生じることを効果的に抑える。【解決手段】点灯装置１は、点灯ユニットを収容する収容空間Ｓ１が形成されたケース３を具備する。ケース３は、収容空間Ｓ１を囲む複数の壁を備える。複数の壁のうち少なくとも一つは、突状の形状を有する誘導壁４である。誘導壁４は、頂部４１と、この頂部４１から下り傾斜した傾斜部４２を有し、傾斜部４２の収容空間Ｓ１を向く面に沿って結露水を誘導するように構成されている。【選択図】図１
2020053230.tif 000002
【特許請求の範囲】
【請求項１】
光源を点灯させるように構成された点灯ユニットと、
前記点灯ユニットを収容する収容空間が形成されたケースを具備し、
前記ケースは、前記収容空間を囲む複数の壁を備え、
前記複数の壁のうち少なくとも一つは、突状の形状を有する誘導壁であり、
前記誘導壁は、頂部と、この頂部から下り傾斜した傾斜部を有し、前記傾斜部の前記収容空間を向く面に沿って結露水を誘導するように構成されている
ことを特徴とする点灯装置。
【請求項２】
前記ケースは、前記複数の壁の中で、前記誘導壁が最も上方に位置するように設置される
ことを特徴とする請求項１の点灯装置。
【請求項３】
前記傾斜部の前記収容空間を向く面には、結露水を誘導するための溝が形成されている
ことを特徴とする請求項１又は２の点灯装置。
【請求項４】
前記傾斜部の前記収容空間を向く面には、結露水を誘導するための凸条が形成されている
ことを特徴とする請求項１又は２の点灯装置。
【請求項５】
前記複数の壁のうち二つ以上が、前記誘導壁である
ことを特徴とする請求項１から４のいずれか一項の点灯装置。
【請求項６】
請求項１から５のいずれか一項の点灯装置と、
前記点灯ユニットで点灯される光源部を保持する器具本体と、を具備する
ことを特徴とする照明器具。
【請求項７】
前記点灯装置は、前記器具本体に対して、前記光源部からの光の照射方向とは反対の方向に位置する
ことを特徴とする請求項６に記載の照明器具。
【発明の詳細な説明】
【技術分野】
【０００１】
本発明は、点灯装置及び照明器具に関する。
【背景技術】
【０００２】
特許文献１には、照明器具の光源を点灯させる点灯装置が記載されている。この点灯装置においては、点灯用の回路部を構成する電子部品が、箱型のケースに収容されている。
【先行技術文献】
【特許文献】
【０００３】
【特許文献１】特開２０１６−１００１６５号公報
【発明の概要】
【発明が解決しようとする課題】
【０００４】
上記した従来の点灯装置では、ケースの内面に生じた結露水の影響で回路部が誤作動等の不具合を生じることを抑えるために、回路部に防水用の樹脂コーティングを十分に施す等の対策が必要であった。
【０００５】
本発明は、点灯装置において結露水の影響で不具合が生じることを、ケースの構造によって効果的に抑えることを目的とする。
【課題を解決するための手段】
【０００６】
一態様に係る点灯装置は、光源を点灯させるように構成された点灯ユニットと、前記点灯ユニットを収容する収容空間が形成されたケースを具備する。前記ケースは、前記収容空間を囲む複数の壁を備える。前記複数の壁のうち少なくとも一つは、突状の形状を有する誘導壁である。前記誘導壁は、頂部と、この頂部から下り傾斜した傾斜部を有し、前記傾斜部の前記収容空間を向く面に沿って結露水を誘導するように構成されている。
【０００７】
一態様に係る照明器具は、前記点灯装置と、前記点灯ユニットで点灯される光源部を保持する器具本体と、を具備する。
【発明の効果】
【０００８】
本発明は、点灯装置において結露水の影響で不具合が生じることを、ケースの構造によって効果的に抑えることができるという効果を奏する。
【図面の簡単な説明】
【０００９】
【図１】図１は、一実施形態の点灯装置を備えた照明器具の斜視図である。
【図２】図２は、同上の照明器具の正面図である。
【図３】図３は、同上の点灯装置が備えるケースの分解斜視図である。
【図４】図４は、同上のケースの断面図である。
【図５】図５は、第一変形例の点灯装置の斜視図である。
【図６】図６は、第二変形例の点灯装置の斜視図である。
【図７】図７は、第三変形例の点灯装置の斜視図である。
【図８】図８Ａは、第三変形例の点灯装置が備える誘導壁の正面図であり、図８Ｂは、図８Ａのａ−ａ線断面図であり、図８Ｃは、更に別例の誘導壁の断面図である。
【図９】図９は、第四変形例の点灯装置の斜視図である。
【図１０】図１０は、第五変形例の点灯装置を備えた照明器具の斜視図である。
【図１１】図１１は、第六変形例の点灯装置の斜視図である。
【発明を実施するための形態】
【００１０】
（一実施形態）
一実施形態の照明器具９について、添付図面に基づいて説明する。一実施形態の照明器具９は、屋外等に設置される投光器である。以下の説明において用いる上下、前後、左右等の方向は、図１、図２に示すように、照明器具９が設置された状態を基準とする。
【００１１】
一実施形態の照明器具９は、光源部７と、光源部７を保持する器具本体８と、光源部７を点灯させる点灯装置１を備える。
【００１２】
光源部７は、複数の光源ユニット７１を有する。一実施形態において、複数の光源ユニット７１は、四つの光源ユニット７１である。
【００１３】
光源ユニット７１は、複数の発光ダイオード（以下「ＬＥＤ」）が縦横に配置されたＬＥＤモジュール７１２で、主体が構成されている。光源ユニット７１は、ＬＥＤモジュール７１２の前面を覆うように装着される透光性のカバー７１４と、ＬＥＤモジュール７１２の後部に設置される放熱部材７１６を、更に備える。
【００１４】
カバー７１４は、例えばポリカーボネート等の透光性を有する合成樹脂材料を用いて、扁平な矩形の箱状に形成されている。放熱部材７１６は、例えばアルミニウム合金等の熱伝導性材料を用いて、複数のフィンが後方に突出した形状に形成されている。
【００１５】
一実施形態では、四つの光源ユニット７１で光源部７を形成しているが、光源ユニット７１の数はこれに限定されない。光源部７は、少なくとも一つの光源ユニット７１を備えればよい。
【００１６】
次に、器具本体８について説明する。
【００１７】
器具本体８は、光源部７を支持するフレーム８１と、フレーム８１に連結されたアーム８３を備える。
【００１８】
フレーム８１は、例えばステンレス鋼板等の金属板を用いて形成されている。アーム８３は、固定板８３１と、固定板８３１の左右両端から前斜め上方に延長された左右一対の連結板８３３を、一体に有する。左右一対の連結板８３３の先端側の部分が、フレーム８１の左右両端部に結合されている。固定板８３１は、例えばボルト等を用いて、適宜の照明台に固定することができる。
【００１９】
次に、点灯装置１について悦明する。
【００２０】
点灯装置１は、器具本体８のフレーム８１に取り付けられている。点灯装置１は、光源部７の後方に位置している。光源部７が備える各光源ユニット７１は、前方に向けて光を照射するように構成されている。つまり、点灯装置１は、器具本体８に対して、光源部７からの光の照射方向とは反対の方向に位置している。
【００２１】
点灯装置１は、光源部７を点灯させるように構成された点灯ユニット２（図４参照）と、箱状のケース３を備える。ケース３の内部には、点灯ユニット２を収容するための収容空間Ｓ１が形成されている。
【００２２】
図４に示すように、一実施形態では、収容空間Ｓ１に二つの点灯ユニット２が収容される。点灯ユニット２は、プリント配線板である回路基板２１と、回路基板２１の表面に実装された複数の電子部品２２を有する。複数の電子部品２２は、光源部７を点灯させるための点灯回路を構成する。点灯ユニット２は、図示略の出力ケーブルを介して、光源部７（つまり複数の光源ユニット７１）に対して電気的に接続される。
【００２３】
なお、点灯装置１が備える点灯ユニット２の数は二つに限定されない。ケース３には、少なくとも一つの点灯ユニット２が収容されればよい。
【００２４】
図３等に示すように、ケース３は、軸方向の両端が開口した角筒状のケース本体３１と、ケース本体３１の両端の開口を塞ぐようにケース本体３１に結合される二つの蓋板３２，３３を有する。二つの蓋板３２、３３とケース本体３１の結合は、ボルトによる結合等の適宜の手段を用いればよい。
【００２５】
ケース本体３１は、例えば、アルミニウム又はアルミニウム合金等の金属材料を用いて押出成形を行うことによって、両端が開口した四角筒状に形成されている。ケース本体３１は、四つの平板状の壁３５ａ，３５ｂ，３５ｃ，３５ｄを有する。
【００２６】
四つの壁３５ａ，３５ｂ，３５ｃ，３５ｄは、それぞれ上下に（つまりケース本体３１の軸方向に）長い矩形板状の壁である。四つの壁３５ａ，３５ｂ，３５ｃ，３５ｄは、収容空間Ｓ１を囲むように周方向に連続している。壁３５ａ，３５ｂ，３５ｃ，３５ｄのそれぞれが、収容空間Ｓ１を向く平坦な面を有する。本文中で用いる平坦とは、厳密に平坦な意味に限定されない。
【００２７】
図４に示すように、収容空間Ｓ１に二つの点灯ユニット２が収容された状態において、点灯ユニット２が有する回路基板２１は、四つの壁３５ａ，３５ｂ，３５ｃ，３５ｄのうち一つの壁との間に隙間をあけて、該一つの壁と平行に位置する。本文中で用いる平行とは、厳密に平行な意味に限定されない。
【００２８】
蓋板３２は、ケース本体３１の軸方向の第一開口３１１を塞ぐ底板として用いられる。第一開口３１１は、収容空間Ｓ１を下方に開放する開口である。蓋板３２は、例えばアルミニウム又はアルミニウム合金等の金属材料を用いて、矩形平板状に形成されている。
【００２９】
蓋板３２がケース本体３１に結合した状態で、蓋板３２は、収容空間Ｓ１に面する平坦な壁３５ｅとして機能する。
【００３０】
蓋板３３は、ケース本体３１の軸方向の第二開口３１２（つまり第一開口３１１とは反対側の開口）を塞ぐ天板として用いられる。第二開口３１２は、収容空間Ｓ１を上方に開放する開口である。蓋板３３は、例えばアルミニウム又はアルミニウム合金等の金属材料を用いて、上に凸の錐状に形成されている。
【００３１】
蓋板３３がケース本体３１に結合した状態において、蓋板３３は、突状の壁３５ｆとして機能する。一実施形態では、この突状の壁３５ｆが、結露水を誘導する誘導壁４である。
【００３２】
誘導壁４は、最も上方に突出した位置にある頂部４１と、この頂部４１から下り傾斜するように形成された傾斜部４２を有する。一実施形態においては、頂部４１が誘導壁４の中心部に位置する。頂部４１が四角錐の頂点に相当し、傾斜部４２が四角推の周壁に相当する。
【００３３】
傾斜部４２は、周方向に連続する複数の（一実施形態では四つの）傾斜壁４２１で形成されている。各傾斜壁４２１は、頂部４１を頂点とした三角形状の傾斜壁である。各傾斜壁４２１は、頂部４１から離れた部分ほど下に位置するように全体が下り傾斜している。
【００３４】
上記した点灯装置１では、ケース３の六つの壁３５ａ，３５ｂ，３５ｃ，３５ｄ，３５ｅ，３５ｆが、収容空間Ｓ１の全方向を囲んで位置する。換言すると、ケース３が有する六つの壁３５ａ，３５ｂ，３５ｃ，３５ｄ，３５ｅ，３５ｆが、収容空間Ｓ１を形成している。
【００３５】
ここで、ケース３の天板として機能する壁３５ｆは、他の壁３５ａ，３５ｂ，３５ｃ，３５ｄ，３５ｅよりも上方に位置し、収容空間Ｓ１の上方を覆うように位置する。壁３５ｆは、点灯ユニット２の上方を覆うように位置する。この壁３５ｆが、上に突出した形状の誘導壁４であることから、誘導壁４の内面（つまり誘導壁４の収容空間Ｓ１を向く面）に結露水が生じたときに、その結露水が、誘導壁４の下方に位置する点灯ユニット２に滴下することが抑えられる。
【００３６】
つまり、誘導壁４の内面に結露水が生じたときに、その結露水は、頂部４１から下り傾斜した傾斜部４２の内面（少なくとも一つの傾斜壁４２１の内面）に沿って側方に誘導され、ケース本体３１の壁３５ａ，３５ｂ，３５ｃ，３５ｄの内面にまで流れる。結露水は、壁３５ａ，３５ｂ，３５ｃ，３５ｄの内面を伝って下方に流れる。
【００３７】
そのため、一実施形態の点灯装置１によれば、結露水の影響で不具合が生じることを、ケース３の構造によって効果的に抑えることができる。一実施形態の点灯装置１においては、点灯ユニット２に対して防水用の樹脂コーティングを施す必要がないか、或いは、点灯ユニット２に施す防水用の樹脂コーティングの量を抑えることができる。
【００３８】
（変形例）
以下においては、点灯装置１と照明器具９の各種の変形例について、添付図面に基づいて説明する。なお、一実施形態において既述した構成と同様の構成については、同一符号を付して詳しい説明を省略する。
【００３９】
図５には、点灯装置１の第一変形例を示している。第一変形例において、ケース３の最も上方の壁３５ｆを構成する誘導壁４は、頂部４１と傾斜部４２を有する。頂部４１は、一直線状に形成されている。
【００４０】
傾斜部４２は、二つの傾斜壁４２１を含む。二つの傾斜壁４２１はそれぞれ、頂部４１から離れた部分ほど下に位置するように下り傾斜している。二つの傾斜壁４２１は、下側の部分ほど互いに離れて位置するように傾斜している。平面視において、二つの傾斜壁４２１は、一直線状の頂部４１を挟んで互いに反対側に位置する。
【００４１】
第一変形例においては、点灯ユニット２の上方を覆うように位置する誘導壁４（壁３５ｆ）の内面に結露水が生じたときに、その結露水は、頂部４１から下り傾斜した傾斜部４２の内面（少なくとも一つの傾斜壁４２１の内面）に沿って側方に誘導され、ケース本体３１の内面を伝って下方に流れる。そのため、結露水が点灯ユニット２に滴下することが抑えられる。
【００４２】
第一変形例においても、結露水の影響で点灯装置１に不具合が生じることを、ケース３の構造によって効果的に抑えることができる。
【００４３】
図６には、点灯装置１の第二変形例を示している。第二変形例において、ケース３の最も上方の壁３５ｆを構成する誘導壁４は、全体がドーム状に膨らんだ形状となるように滑らかに湾曲している。
【００４４】
湾曲した誘導壁４のうち、最も上方に位置する箇所が頂部４１である。誘導壁４のうち頂部４１を除いた部分が、頂部４１から下り傾斜するように形成された傾斜部４２である。傾斜部４２の内面は滑らかに湾曲している。傾斜部４２は、誘導壁４のうち少なくとも頂部４１の周辺部分であることが好ましい。
【００４５】
第二変形例においては、点灯ユニット２の上方を覆う誘導壁４（壁３５ｆ）の内面に結露水が生じたときに、その結露水は、湾曲した傾斜部４２の内面に沿って側方に誘導され、ケース本体３１の内面を伝って下方に流れる。そのため、結露水が点灯ユニット２に滴下することが抑えられる。
【００４６】
第二変形例においても、結露水の影響で点灯装置１に不具合が生じることを、ケース３の構造によって効果的に抑えることができる。
【００４７】
図７には、点灯装置１の第三変形例を示している。第三変形例において、ケース３の上端部を構成する誘導壁４には、結露水を誘導するための溝５が形成されている。傾斜部４２の収容空間Ｓ１を向く面には、複数の溝５が形成されている。具体的には、各傾斜壁４２１に一つの溝５が形成されている。溝５は、一直線状に下り傾斜した溝である。
【００４８】
図８Ａ、図８Ｂに示すように、溝５は断面Ｕ字状であり、頂部４１から一直線状に伸びるように形成されている。なお、傾斜部４２に形成される溝５の形状、個数及び配置はこれに限定されない。例えば、溝５の断面形状がＶ字状でもよい。溝５の全体形状が曲線状、折れ線状、或いは直線と曲線が組み合わさった形状でもよい。各傾斜壁４２１に複数の溝５が形成されてもよい。
【００４９】
第三変形例においても、結露水の影響で点灯装置１に不具合が生じることを、ケース３の構造によって効果的に抑えることができる。
【００５０】
また、図８Ｃに示す更に別例のように、溝５の代わりに、結露水を誘導するための凸条６が、傾斜部４２の収容空間Ｓ１を向く面に形成されてもよい。凸条６についても、その形状、個数及び配置は特に限定されない。例えば、凸条６の断面形状は半円状に限らず、三角形状等の別の形状でもよい。凸条６の全体形状は直線状に限らず、例えば曲線状、折れ線状、或いは直線と曲線が組み合わさった形状でもよい。各傾斜壁４２１に複数の凸条６が形成されてもよい。また、傾斜部４２の収容空間Ｓ１を向く面に、少なくとも一つの溝５と、少なくとも一つの凸条６が、共に形成されてもよい。
【００５１】
これらの別例においても、結露水の影響で点灯装置１に不具合が生じることを、ケース３の構造によって効果的に抑えることができる。
【００５２】
図９には、点灯装置１の第四変形例を示している。第四変形例において、ケース３の最も上方の壁３５ｆを構成する誘導壁４は、図６に示す第二変形例と同様に、ドーム状に湾曲した形状を有する。
【００５３】
加えて、誘導壁４のうち傾斜部４２の収容空間Ｓ１を向く面には、図７等に示す第三変形例と同様に、結露水を誘導するための複数の溝５が形成されている。第四変形例では、複数の溝５のそれぞれが、螺旋状に曲がった形状を有する。螺旋状の溝５は、頂部４１から下り傾斜するように形成されている。
【００５４】
複数の溝５は、傾斜部４２において周方向に互いに距離をあけて位置する。複数の溝５は、傾斜部４２の周方向において同じ側に向けて曲がっている。周方向に隣接する溝５同士の距離は、傾斜部４２の下側の部分ほど大きくなる。
【００５５】
第四変形例においても、溝５の断面形状はＵ字状、Ｖ字状等のいずれの形状でもよい。傾斜部４２には、螺旋状の溝５が少なくとも一つ形成されていればよい。
【００５６】
また、第三変形例と同様に、螺旋状の溝５の代わりに、傾斜部４２の収容空間Ｓ１を向く面に螺旋状の凸条６が少なくとも一つ形成されてもよい。螺旋状の凸条６が複数である場合、複数の螺旋状の凸条６は、傾斜部４２において周方向に互いに距離をあけて位置することが好ましい。複数の凸条６は、傾斜部４２の周方向において同じ側に向けて曲がることが好ましい。周方向に隣接する凸条６同士の距離は、傾斜部４２の下側の部分ほど大きくなることが好ましい。
【００５７】
第四変形例においても、結露水の影響で点灯装置１に不具合が生じることを、ケース３の構造によって効果的に抑えることができる。
【００５８】
図１０には、点灯装置１の第五変形例とこれを備えた照明器具９を示している。第五変形例において、照明器具９は、倉庫等の天井に設置される高天井用の照明器具（ダウンライト）である。
【００５９】
第五変形例において、照明器具９が備える光源部７は、下方に向けて光を照射するように構成されている。点灯装置１は、器具本体８の上方に位置している。第五変形例においても、点灯装置１は、器具本体８に対して、光源部７からの光の照射方向とは反対の方向に位置している。
【００６０】
器具本体８が備えるアーム８５は、固定板８５１と、固定板８５１の左右両端から下方に延長された左右一対の連結板８５３を、一体に有する。左右一対の連結板８５３の先端側の部分が、フレーム８１の左右両端部に結合されている。固定板８５１は、例えばボルト等を用いて天井に固定することができる。
【００６１】
第五変形例の点灯装置１が備えるケース３では、ケース本体３１が有する四つの壁３５ａ，３５ｂ，３５ｃ，３５ｄのうち最も上方に位置する壁３５ａが、突状の誘導壁４である。誘導壁４は、上に凸の四角錐状に形成されており、一実施形態と同様の頂部４１と傾斜部４２を有する。ケース本体３１の軸方向の両端開口を塞ぐ蓋板３２，３３は、いずれも平坦に形成されている。
【００６２】
第五変形例では、ケース３が有する一つの壁３５ａが、ケース３の他の壁３５ｂ，３５ｃ，３５ｄ，３５ｅ，３５ｆよりも上方に位置する誘導壁４であることから、結露水が点灯ユニット２に滴下することが抑えられる。
【００６３】
つまり、誘導壁４の内面に結露水が生じたときに、その結露水は、頂部４１から下り傾斜した傾斜部４２の内面（少なくとも一つの傾斜壁４２１の内面）に沿って側方に誘導され、ケース３の壁３５ｂ，３５ｄ，３５ｅ，３５ｆの内面に至る。結露水は、壁３５ｂ，３５ｄ，３５e，３５ｆの内面を伝って下方に流れる。
【００６４】
第五変形例においても、結露水の影響で点灯装置１に不具合が生じることを、ケース３の構造によって効果的に抑えることができる。
【００６５】
図１１には、点灯装置１の第六変形例を示している。第六変形例では、ケース３が有する六つの壁３５ａ，３５ｂ，３５ｃ，３５ｄ，３５ｅ，３５ｆのうち二つの壁３５ａ，３５ｆが、突状の形状を有する誘導壁４である。
【００６６】
第六変形例においては、点灯装置１の複数の使用形態に対応して、結露水で点灯ユニット２が濡れることを抑えることができる。つまり、第六変形例においては、壁３５ｆが最も上方に位置する姿勢で点灯装置１が設置される場合と、壁３５ａが最も上方に位置する姿勢で点灯装置１が設置される場合の両方で、結露水が点灯ユニット２に滴下することを抑えることができる。
【００６７】
前者の場合は、例えば、一実施形態のような投光器に設置される場合である。後者の場合は、例えば、第五変形例のような高天井用の照明器具に設置される場合である。
【００６８】
なお、ケース３が有する六つの壁３５ａ，３５ｂ，３５ｃ，３５ｄ，３５ｅ，３５ｆのうち、三つ以上が誘導壁４であってもよい。この場合、結露水の影響で点灯ユニット２に不具合を生じることを、一層抑えることができる。
【００６９】
第六変形例においても、結露水の影響で点灯装置１に不具合が生じることを、ケース３の構造によって効果的に抑えることができる。
【００７０】
以上、添付図面に示す一実施形態と各種の変形例に基づいて、点灯装置及び照明器具について説明したが、点灯装置及び照明器具は、上述の実施形態や各種の変形例に限定されない。同様の作用効果を奏する範囲内であれば、一実施形態や各種の変形例において設計変更を行うことや、各種の変形例の構成を組み合わせて適用することが可能である。
【００７１】
（態様）
上述した一実施形態と各種の変形例の内容から理解されるように、第１の態様の点灯装置（１）は、光源を点灯させるように構成された点灯ユニット（２）と、点灯ユニット（２）を収容する収容空間（Ｓ１）が形成されたケース（３）を具備する。ケース（３）は、収容空間（Ｓ１）を囲む複数の壁（３５ａ，３５ｂ，３５ｃ，３５ｄ，３５ｅ，３５ｆ）を備える。複数の壁（３５ａ，３５ｂ，３５ｃ，３５ｄ，３５ｅ，３５ｆ）のうち少なくとも一つは、突状の形状を有する誘導壁（４）である。誘導壁（４）は、頂部（４１）と、この頂部（４１）から下り傾斜した傾斜部（４２）を有し、傾斜部（４２）の収容空間（Ｓ１）を向く面に沿って結露水を誘導するように構成されている。
【００７２】
第１の態様の点灯装置（１）によれば、誘導壁（４）の収容空間（Ｓ１）を向く面に結露水が生じても、該結露水が点灯ユニット（２）に滴下することが抑えられ、点灯ユニット（２）が誤作動等の不具合を生じることが、効果的に抑えられる。そのため、点灯ユニット（２）に対して防水用の樹脂コーティングを施す必要がないか、或いは、点灯ユニット（２）に施す防水用の樹脂コーティングの量を抑えることができる。
【００７３】
第２の態様の点灯装置（１）は、第１の態様との組み合わせによって実現される。第２の態様の点灯装置（１）において、ケース（３）は、複数の壁（３５ａ，３５ｂ，３５ｃ，３５ｄ，３５ｅ，３５ｆ）の中で、誘導壁（４）が最も上方に位置するように設置される。
【００７４】
第２の態様の点灯装置（１）によれば、誘導壁（４）に生じた結露水の影響で点灯ユニット（２）に不具合を生じることが、効果的に抑えられる。
【００７５】
第３の態様の点灯装置（１）は、第１又は第２の態様との組み合わせによって実現される。第３の態様の点灯装置（１）において、傾斜部（４２）の収容空間（Ｓ１）を向く面には、結露水を誘導するための溝（５）が形成されている。
【００７６】
第３の態様の点灯装置（１）によれば、誘導壁（４）に生じた結露水を、溝（５）に沿って効率的に誘導することができるので、結露水の影響で点灯ユニット（２）に不具合を生じることが、一層効果的に抑えられる。
【００７７】
第４の態様の点灯装置（１）は、第１又は第２の態様との組み合わせによって実現される。第４の態様の点灯装置（１）において、傾斜部（４２）の収容空間（Ｓ１）を向く面には、結露水を誘導するための凸条（６）が形成されている。
【００７８】
第４の態様の点灯装置（１）によれば、誘導壁（４）に生じた結露水を、凸条（６）に沿って効率的に誘導することができるので、結露水の影響で点灯ユニット（２）に不具合を生じることが、一層効果的に抑えられる。
【００７９】
第５の態様の点灯装置（１）は、第１から第４のいずれか一つの態様との組み合わせによって実現される。第５の態様の点灯装置（１）において、複数の壁（３５ａ，３５ｂ，３５ｃ，３５ｄ，３５ｅ，３５ｆ）のうち二つ以上が、誘導壁（４）である。
【００８０】
第５の態様の点灯装置（１）によれば、結露水の影響で点灯ユニット（２）に不具合を生じることが、一層効果的に抑えられる。また、点灯装置（１）の使用形態が複数存在する場合であっても、結露水が点灯ユニット（２）に滴下することが抑えられる。
【００８１】
第１の態様の照明器具（９）は、第１から第５のいずれか一つの態様の点灯装置（１）と、点灯ユニット（２）で点灯される光源部（７）を保持する器具本体（８）を具備する。
【００８２】
第１の態様の照明器具（９）によれば、点灯装置（１）において点灯ユニット（２）が結露水の影響で不具合を生じることが、効果的に抑えられる。そのため、点灯ユニット（２）に対して防水用の樹脂コーティングを施す必要がないか、或いは、点灯ユニット（２）に施す防水用の樹脂コーティングの量を抑えることができる。
【００８３】
第２の態様の照明器具（９）は、第１の態様との組み合わせによって実現される。第２の態様の照明器具（９）において、点灯装置（１）は、器具本体（８）に対して、光源部（７）からの光の照射方向とは反対の方向に位置する。
【００８４】
第２の態様の照明器具（９）によれば、点灯装置（１）を照明器具（９）の一部として一体的に構成し、かつ、結露水の影響で点灯ユニット（２）が不具合を生じることは効果的に抑えられる。
【符号の説明】
【００８５】
１  点灯装置
２  点灯ユニット
３  ケース
３５ａ  壁
３５ｂ  壁
３５ｃ  壁
３５ｄ  壁
３５ｅ  壁
３５ｆ  壁
４  誘導壁
４１  頂部
４２  傾斜部
５  溝
６  凸条
７  光源部
８  器具本体
９  照明器具
Ｓ１  収容空間
【図１】
2020053230.tif 000003
【図２】
2020053230.tif 000004
【図３】
2020053230.tif 000005
【図４】
2020053230.tif 000006
【図５】
2020053230.tif 000007
【図６】
2020053230.tif 000008
【図７】
2020053230.tif 000009
【図８】
2020053230.tif 000010
【図９】
2020053230.tif 000011
【図１０】
2020053230.tif 000012
【図１１】
2020053230.tif 000013